(57)【要約】【課題】電子機器の水没検出を低コストで実現する。【解決手段】トランシーバ（１）は、機器本体（２）の表面に露出するように設けられ、外部から電力が入力される一対の外部電源端子（２２）と、外部電源端子（２２）同士が短絡することによってトランシーバ（１）が水没したことを検出する水没検出回路（３０）と、前記水没検出回路による水没の検出を報知する、スピーカ（１１）、液晶パネル（１２）およびＬＥＤ（１３）とを備えている。【選択図】図３
2020123822.tif 000002
【特許請求の範囲】
【請求項１】
機器本体の表面に露出するように設けられ、外部から電力が入力される一対の外部電源端子と、
前記外部電源端子同士が短絡することによって電子機器が水没したことを検出する水没検出回路と、
前記水没検出回路による水没の検出を報知する報知部と、を備えている電子機器。
【請求項２】
充電池と、
前記外部電源端子を介して入力される電力によって前記充電池を充電する充電器と、を備えている請求項１に記載の電子機器。
【請求項３】
前記電子機器の水没が検出されると、前記充電器と前記外部電源端子との間を遮断する遮断回路を備えている請求項２に記載の電子機器。
【発明の詳細な説明】
【技術分野】
【０００１】
本発明は、水没検出機能を有する電子機器に関する。
【背景技術】
【０００２】
水際や水上で電子機器を使用する場合、電子機器を水中に落とすなどして、電子機器が水没することがある。例えば、特許文献１には、外部に露出する一対の電極を設け、電子機器が水中に落下したことで電極間が導通すると、電子機器を発見しやすいようにＬＥＤが点滅することが開示されている。
【先行技術文献】
【特許文献】
【０００３】
【特許文献１】特許第５５２１８８７号（２０１４年６月１８日発行）
【発明の概要】
【発明が解決しようとする課題】
【０００４】
しかしながら、上記の一対の電極は、電子機器の水没を検出するために専用に設けられている。このため、電極の費用、電極を配置するスペース、電極の組み立て加工に要する費用などが必要となる。
【０００５】
本発明の一態様は、電子機器の水没検出を低コストで実現することを目的とする。
【課題を解決するための手段】
【０００６】
上記の課題を解決するために、本発明の一態様に係る電子機器は、機器本体の表面に露出するように設けられ、外部から電力を入力する一対の外部電源端子と、前記外部電源端子同士が短絡することによって電子機器が水没したことを検出する水没検出回路と、前記水没検出回路による水没の検出を報知する報知部と、を備えている。
【０００７】
上記の構成によれば、外部電源端子同士が短絡することで電子機器の水没が検出されるので、外部電源端子を水没の検出に利用することができる。これにより、水没の検出のために専用の端子を設ける必要がなくなる。それゆえ、専用の端子そのもの、専用の端子を配置するためのスペース、専用の端子を電子機器に組み付ける加工費等が不要になる。
【０００８】
前記電子機器は、充電池と、前記外部電源端子を介して入力される電力によって前記充電池を充電する充電器とを備えていてもよい。
【０００９】
上記の構成によれば、外部電源端子が充電器への充電のための電源供給端子として機能する。これにより、充電器を備える電子機器の水没の検出が可能になる。
【００１０】
前記電子機器は、前記電子機器の水没が検出されると、前記充電器と前記外部電源端子との間を遮断する遮断回路とを備えていてもよい。
【００１１】
上記の構成によれば、電子機器の水没が検出されたときに充電器と外部電源端子との間が遮断されるので、外部電源端子同士の短絡から充電器を保護することができる。
【発明の効果】
【００１２】
本発明の一態様によれば、電子機器の水没検出を低コストで実現することができる。
【図面の簡単な説明】
【００１３】
【図１】本発明の一実施形態に係る無線機の操作面側の外観構成を示す斜視図である。
【図２】上記トランシーバの背面側の外観構成を示す斜視図である。
【図３】上記トランシーバのシステム構成を示すブロック図である。
【図４】上記トランシーバの回路構成における本発明に関連する部分を示す回路図である。
【発明を実施するための形態】
【００１４】
〔実施形態〕
本発明の一実施形態について、図１〜図４を参照して説明すれば、以下の通りである。
【００１５】
〈トランシーバの外観構成〉
図１は、本実施形態に係るトランシーバ１の操作面側の外観構成を示す斜視図である。図２は、トランシーバ１の背面側の外観構成を示す斜視図である。
【００１６】
図１および図２に示すように、トランシーバ１（電子機器）は、船舶通信用のハンディ機器であり、マリンＶＨＦバンドの無線通信を行う。トランシーバ１は、機器本体２を備えている。
【００１７】
図１に示すように、機器本体２は、トランシーバ１の主要部品を実装する本体部分である。機器本体２の前面には、スピーカ１１（報知部）、液晶パネル１２（報知部）、ＬＥＤ１３（報知部）、操作部１４などが設けられている。機器本体２の頂部には、アンテナ１５、電源・音量ツマミ１６などが設けられている。アンテナ１５は、機器本体２に対して着脱可能である。
【００１８】
スピーカ１１の前面は、複数のスリットを有するスピーカグリル１７によって保護されている。スピーカ１１は、通信時に音声を出力する以外に、トランシーバ１の水没状態で警告音を出力する。液晶パネル１２は、通話に関する情報、電波状況に関する情報、電池状態に関する情報などの各種の情報を表示する。ＬＥＤ１３は、トランシーバ１の待ち受け状態では消灯し、送信状態では赤色に点灯し、受信状態では緑色に点灯し、水没状態では青色に点灯する。操作部１４は各種の操作キーを備えている。
【００１９】
また、図２に示すように、機器本体２は、外部電源端子２２を有している。外部電源端子２２は、機器本体２の背面側の表面におけるトランシーバ１の底部の近傍に露出するように設けられている。外部電源端子２２は、正極端子２２ａおよび負極端子２２ｂにより構成されている。
【００２０】
〈トランシーバのシステム構成〉
図３は、トランシーバ１のシステム構成を示すブロック図である。
【００２１】
図３に示すように、トランシーバ１は、充電系として、バッテリ２１（充電池）と、外部電源端子２２と、充電スイッチ２３（遮断回路）と、スイッチ制御回路２４（遮断回路）と、充電器２５とを備えている。
【００２２】
バッテリ２１は、トランシーバ１に取り外し可能に設けられている。バッテリ２１は、軽量かつ大容量のリチウムイオン電池である。
【００２３】
充電スイッチ２３は、一対の外部電源端子２２（正極端子２２ａおよび負極端子２２ｂ）に所定範囲の電圧が印加されたときにオンして、正極端子２２ａと充電器２５との間を接続する。また、充電スイッチ２３は、外部電源端子２２が短絡しているときにオフして、正極端子２２ａと充電器２５との間を遮断する。
【００２４】
スイッチ制御回路２４は、充電スイッチ２３のオン・オフを制御する。外部電源端子２２に所定範囲の電圧が印加されたときにオンすることで、充電スイッチ２３をオンさせる。また、外部電源端子２２が短絡していているときにオフすることで、充電スイッチ２３をオフさせる。
【００２５】
充電器２５は、外部電源端子２２を介して入力される電力によってバッテリ２１を充電する。
【００２６】
トランシーバ１は、電源系として、主電源スイッチ２６と、電源維持回路２７と、電源制御回路２８と、電源回路２９とを備えている。
【００２７】
主電源スイッチ２６は、電源・音量ツマミ１６の操作によってオン・オフされる。
【００２８】
電源維持回路２７は、主電源スイッチ２６のオフ時に、バッテリ２１から電源制御回路２８への電力供給を維持するためのスイッチである。また、電源維持回路２７は、後述するＣＰＵ３５（制御回路）からのパワーオン信号ＰＯＮに基づいて、トランシーバ１が水没から脱した後にも、電源制御回路２８のオン状態を維持する。
【００２９】
電源制御回路２８は、主電源スイッチ２６によってオン・オフし、バッテリ２１から電源回路２９への電力供給および電力供給停止を制御する。
【００３０】
電源回路２９は、トランシーバ１各部への電力供給および電力供給停止を切り替える。
【００３１】
トランシーバ１は、水没検出系として、水没検出回路３０と、水没検出スイッチ３１とを備えている。
【００３２】
水没検出回路３０は、外部電源端子２２の正極端子２２ａが負極端子２２ｂと短絡することにより、トランシーバ１の水没を検出する。また、水没検出回路３０は、外部電源端子２２の正極端子２２ａが負極端子２２ｂと短絡しないことにより、トランシーバ１の水没状態を検出しない。
【００３３】
水没検出スイッチ３１は、水没検出回路３０によってトランシーバ１の水没が検出されると、例えば“Ｌ”の検出信号ＷＥＴＩＮをＣＰＵ３５に出力する。
【００３４】
トランシーバ１は、制御系として、ＬＥＤ駆動回路３２と、アンプ３３と、表示コントローラ３４と、ＣＰＵ３５とを備えている。
【００３５】
ＬＥＤ駆動回路３２は、ＣＰＵ３５からの点灯制御信号に基づいて、ＬＥＤ１３を駆動する。より具体的には、ＬＥＤ駆動回路３２は、ＬＥＤ１３を、上述のように、赤、緑および青に点灯させる。
【００３６】
アンプ３３は、ＣＰＵ３５からの報知音声信号に基づいて、スピーカ１１が水没時に報知音を出力するように、スピーカ１１を駆動する。
【００３７】
表示コントローラ３４は、ＣＰＵ３５からの表示信号に基づいて、液晶パネル１２に上述の各種の情報を表示させる。
【００３８】
ＣＰＵ３５は、トランシーバ１の各部の動作を制御する。例えば、ＣＰＵ３５は、電源維持回路２７に上述したパワーオン信号ＰＯＮを出力したり、充電器２５の動作を可能にするイネーブル信号ＥＮＢを出力したりする。
【００３９】
〈トランシーバの回路構成における本発明に関連する部分〉
図４は、トランシーバ１の回路構成における本発明に関連する部分を示す回路図である。
【００４０】
図４に示すように、外部電源端子２２の負極端子２２ｂはグランドに接続され、外部電源端子２２の正極端子２２ａは、充電スイッチ２３の入力端子に接続されている。
【００４１】
充電スイッチ２３は、ｐチャネルＭＯＳＦＥＴからなるトランジスタＱ１によって構成されている。トランジスタＱ１のソースは、充電スイッチ２３の入力端子となる。トランジスタＱ１のゲートは、抵抗Ｒ４を介してトランジスタＱ１のソースと接続されている。また、トランジスタＱ１のドレインは、ダイオードＤ７を介してＣＰＵ３５の電源ラインに接続される。
【００４２】
スイッチ制御回路２４は、ｎチャネルＭＯＳＦＥＴからなるトランジスタＱ２によって構成されている。トランジスタＱ２のゲートは、正極端子２２ａとグランドとの間に直列に接続される抵抗Ｒ１，Ｒ２の接続点に接続されている。また、トランジスタＱ２のソースはグランドに接続され、トランジスタＱ２のドレインは抵抗Ｒ３を介してトランジスタＱ１のゲートに接続されている。
【００４３】
充電器２５は、充電ＩＣ２５１と、トランジスタＱ３，Ｑ４（ＮＰＮトランジスタ）とを含んでいる。充電ＩＣ２５１は、バッテリ２１の充電を制御する。
【００４４】
充電ＩＣ２５１の入力端子ＶＩＮは、トランジスタＱ１のドレインに接続されており、トランジスタＱ１を介して正極端子２２ａからの入力電圧（外部電圧）が入力される。充電ＩＣ２５１は、充電端子ＶＢＡＴから、バッテリ２１への充電電圧を出力する。このため、充電端子ＶＢＡＴは、バッテリ２１の正極端子２１ａに接続されている。バッテリ２１は、正極端子２１ａの他、グランドに接続される負極端子２１ｂと、バッテリ２１の温度検出のために設けられた温度検出端子２１ｃとを有している。温度検出端子２１ｃには、ＣＰＵ３５に供給される温度検出信号ＢＴＥＭＰＶが出力される。
【００４５】
充電ＩＣ２５１のイネーブル端子ＥＮは、充電ＩＣ２５１に設けられたプルアップ抵抗（図示せず）の一端に接続されるとともに、トランジスタＱ３のコレクタに接続されている。トランジスタＱ３のエミッタはグランドに接続されている。トランジスタＱ３のベースおよびトランジスタＱ４のコレクタは、ともに抵抗Ｒ５を介して入力端子ＶＩＮに接続されている。トランジスタＱ４のエミッタは、グランドに接続されている。トランジスタＱ４のベースには、ＣＰＵ３５からのイネーブル信号ＥＮＢが入力される。
【００４６】
トランジスタＱ４のベースに“Ｈ”のイネーブル信号ＥＮＢが入力されると、トランジスタＱ４がオンして、入力端子ＶＩＮが抵抗Ｒ５を介してグランドに接続されるとともに、トランジスタＱ３のベースがグランドに接続される。すると、トランジスタＱ３がオフするので、イネーブル端子ＥＮがプルアップされて“Ｈ”となる。これにより、充電ＩＣ２５１は起動する。
【００４７】
トランジスタＱ４のベースに“Ｌ”のイネーブル信号ＥＮＢが入力されると、トランジスタＱ４がオンして、入力端子ＶＩＮが抵抗Ｒ５を介してトランジスタＱ３のベースに接続される。すると、トランジスタＱ３がオンするので、イネーブル端子ＥＮがプルアップされずに“Ｌ”となる。これにより、充電ＩＣ２５１は停止する。
【００４８】
電源制御回路２８は、ｐチャネルＭＯＳＦＥＴからなるトランジスタＱ５と、抵抗Ｒ６，Ｒ８とを有している。抵抗Ｒ６，Ｒ８は、直列に接続されている。抵抗Ｒ６の一端およびトランジスタＱ５のソースは、正極端子２１ａに接続されている。トランジスタＱ５のゲートは、抵抗Ｒ６，Ｒ８の接続点に接続されている。抵抗Ｒ８の一端は、後述するダイオードＤ２のアノードに接続されている。抵抗Ｒ８の一端の論理レベルが“Ｌ”となることによって、トランジスタＱ５のゲート電圧はゲートしきい値以下になる。これにより、トランジスタＱ５がオンして、電源電圧ＶＣＣを出力する。
【００４９】
電源回路２９は、ｐチャネルＭＯＳＦＥＴからなるトランジスタＱ６によって構成されている。トランジスタＱ６のドレインは、トランジスタＱ５のドレインに接続されている。トランジスタＱ６のソースは、ＣＰＵ３５の電源端子（図示せず）に接続されている。トランジスタＱ６のゲートは、ダイオードＤ１を介してトランジスタＱ１のドレインに接続されるとともに、抵抗Ｒ７を介してグランドに接続されている。
【００５０】
これにより、トランジスタＱ６は、外部電源端子２２の正極端子２２ａから電圧が印加されるときにオフするため、電源制御回路２８からの電源電圧ＶＣＣをＣＰＵ３５に出力しない。また、トランジスタＱ６は、正極端子２２ａから電圧が印加されないときにオンして、電源制御回路２８からの電源電圧ＶＣＣをＣＰＵ３５に出力する。
【００５１】
主電源スイッチ２６の一端は、グランドに接続されている。主電源スイッチ２６の他端は、ダイオードＤ２，Ｄ３のカソードに接続されている。ダイオードＤ２のアノードは、抵抗Ｒ８を介してトランジスタＱ５のゲートに接続されている。ダイオードＤ３のアノードには、主電源信号ＰＳＷが現れる。
【００５２】
水没検出回路３０は、トランジスタＱ７（ｐチャネルＭＯＳＦＥＴ）と、抵抗Ｒ９とを有している。トランジスタＱ７のドレインは、バッテリ２１の正極端子２１ａに接続されている。トランジスタＱ７のソースは、抵抗Ｒ９を介して正極端子２１ａに接続されるとともに、抵抗Ｒ１０およびダイオードＤ４〜Ｄ６を介して外部電源端子２２の正極端子２２ａに接続されている。これにより、トランジスタＱ７は、正極端子２２ａの電位が“Ｌ”になるとオンしてソースに“Ｈ”の電圧を出力することにより、トランシーバ１の水没を検出する。
【００５３】
ダイオードＤ４〜Ｄ６は、直列に接続されることにより、トランシーバ１の水没時にトランジスタＱ７がオンする条件を設定している。また、ダイオードＤ４〜Ｄ６は、充電器２５の充電時にトランジスタＱ７のゲートを保護する機能を有している。
【００５４】
水没検出スイッチ３１は、トランジスタＱ８，Ｑ９（ＮＰＮトランジスタ）を有している。トランジスタＱ８のベースは、トランジスタＱ７のソースに接続され、トランジスタＱ８のエミッタはグランドに接続されている。トランジスタＱ８は、コレクタに水没検出信号ＷＥＴＩＮを出力する。トランジスタＱ９のベースはトランジスタＱ７のソースに接続され、トランジスタＱ９のエミッタはグランドに接続されている。トランジスタＱ９のコレクタはダイオードＤ２のアノードに接続されている。
【００５５】
電源維持回路２７は、トランジスタＱ１１（ＮＰＮトランジスタ）を有している。トランジスタＱ１１のエミッタはグランドに接続され、トランジスタＱ１１のコレクタは、ダイオードＤ２のアノードに接続されている。トランジスタＱ１１のベースには、ＣＰＵ３５からのパワーオン信号ＰＯＮが入力される。
【００５６】
〈トランシーバの動作〉
以降の説明では、主電源スイッチ２６のオン時またはオフ時と、トランシーバ１の水没時または非水没時と、外部電源端子２２への外部電圧印加時または外部電圧非印加時とを組み合わせたそれぞれの状況について説明する。なお、以降の説明では、バッテリ２１が機器本体２に装着されているものとする。
【００５７】
（１）主電源オン、非水没および外部電圧非印加
外部電源端子２２に外部電圧が印加されていないので、スイッチ制御回路２４のトランジスタＱ２および充電スイッチ２３のトランジスタＱ１はオンしない。このため、充電ＩＣ２５１に外部電圧が印加されないので、充電が行われない。また、ダイオードＤ４〜Ｄ６はオフしている。このため、水没検出回路３０のトランジスタＱ７のゲート電圧は、バッテリ２１の正極端子２１ａの電圧により、しきい値を超える。これにより、トランジスタＱ７がオフするので、水没検出回路３０は動作しない。
【００５８】
主電源スイッチ２６がオンしているので、抵抗Ｒ８の一端が主電源スイッチ２６を介してグランドに接続される。すると、電源制御回路２８のトランジスタＱ５のゲート電圧がしきい値以下となることで、トランジスタＱ５がオンする。また、外部電源端子２２に外部電圧が印加されていないので、電源回路２９のトランジスタＱ６のゲートには、トランジスタＱ１がオフしていることで外部電圧が印加されない。また、トランジスタＱ６のゲートは、抵抗Ｒ７を介してグランドに接続されている。この状態では、トランジスタＱ６のゲート電圧がゲートしきい値以下になるので、トランジスタＱ６はオンしている。これにより、ＣＰＵ３５は、電源回路２９を介して電源電圧ＶＣＣが印加されることで、起動する。
【００５９】
また、主電源スイッチ２６がオンしているときには、電源制御信号ＰＷＳＷが“Ｌ”となっている。ＣＰＵ３５は、電源制御信号ＰＷＳＷを受けると、主電源がオン状態にあることを認識して、パワーオン信号ＰＯＮを出力する。電源維持回路２７のトランジスタＱ１１がパワーオン信号ＰＯＮによってオンすると、抵抗Ｒ８の一端がグランドに接続されて、電源制御回路２８の動作状態が維持される。
【００６０】
（２）主電源オン、水没および外部電圧非印加
上記の（１）の状態からトランシーバ１が水没すると、外部電源端子２２の正極端子２２ａと負極端子２２ｂとが短絡することにより、正極端子２２ａの電位が“Ｌ”となる。すると、ダイオードＤ４〜Ｄ６がオンすることにより、トランジスタＱ７は、ゲート電圧が“Ｌ”となってオンする。これに伴い、トランジスタＱ８，Ｑ９もオンする。これにより、水没検出スイッチ３１のトランジスタＱ８から、水没を表す“Ｌ”の水没検出信号ＷＥＴＩＮが出力される。ＣＰＵ３５は、水没検出信号ＷＥＴＩＮを受けて、ＬＥＤ１３の点灯、スピーカ１１による音声出力、液晶パネル１２による表示を制御して、水没を報知する。
【００６１】
また、トランシーバ１の水没時には、正極端子２２ａに接続される抵抗Ｒ１，Ｒ２の接続点における電位が低下することにより、スイッチ制御回路２４のトランジスタＱ２がオフする。これに伴い、充電スイッチ２３のトランジスタＱ１もオフする。これにより、正極端子２２ａと充電ＩＣ２５１の入力端子ＶＩＮとの間が遮断される。したがって、正極端子２２ａ負極端子２２ｂとの短絡から、充電器２５を保護することができる。
【００６２】
（３）主電源オン、非水没および外部電圧印加
上記の（１）の状態で外部電源端子２２に外部電圧が印加されると、抵抗Ｒ１，Ｒ２の接続点における電位が上昇することにより、トランジスタＱ２がオンする。これに伴い、トランジスタＱ１のゲートがトランジスタＱ２を介してグランドに接続されることで、トランジスタＱ１のゲート電圧がしきい値以下となる。このため、トランジスタＱ１もオンする。これにより、正極端子２２ａと充電ＩＣ２５１の入力端子ＶＩＮとの間が導通する。したがって、充電器２５は、ＣＰＵ３５の制御により、外部電圧でバッテリ２１の充電を行うことができるようになる。
【００６３】
（４）主電源オフ、非水没および外部電圧非印加
外部電源端子２２に外部電圧が印加されていないので、スイッチ制御回路２４のトランジスタＱ２および充電スイッチ２３のトランジスタＱ１はオンしない。このため、（１）の状態と同様、充電は行われず、かつ水没検出回路３０は動作しない。また、トランジスタＱ１がオフしていることから、外部電源端子２２からＣＰＵ３５への電源供給は行なわれない。
【００６４】
主電源スイッチ２６がオフしているので、抵抗Ｒ８の一端が主電源スイッチ２６を介してグランドに接続されない。このため、電源制御回路２８のトランジスタＱ５は、ゲートに電圧が印加されてオフしている。また、外部電源端子２２に外部電圧が印加されていないので、（１）の状態と同様、電源回路２９のトランジスタＱ６のゲートには、トランジスタＱ１を介しての外部電圧も印加されず、トランジスタＱ６はオンしている。しかしながら、トランジスタＱ５がオフしていることから、トランジスタＱ５から電源電圧ＶＣＣが出力されない。
【００６５】
それゆえ、ＣＰＵ３５は、外部およびバッテリ２１のいずれからも電源電圧ＶＣＣが印加されずに動作しない。したがって、回路に流れる暗電流はほぼ０となる。
【００６６】
（５）主電源オフ、水没および外部電圧非印加
上記の（４）の状態で、トランシーバ１が水没すると、外部電源端子２２の正極端子２２ａの電位が“Ｌ”となる。（１）の場合と同じく、トランジスタＱ７，Ｑ８，Ｑ９がオンする。これにより、水没検出スイッチ３１のトランジスタＱ８から、水没を表す“Ｌ”の水没検出信号ＷＥＴＩＮが出力される。また、抵抗Ｒ８の一端がトランジスタＱ９を介してグランドに接続されることにより、トランジスタＱ５がオンすることで、トランジスタＱ５から電源電圧ＶＣＣが出力される。これに応じて、オン状態にあるトランジスタＱ６から電源電圧ＶＣＣが出力される。
【００６７】
ＣＰＵ３５は、電源電圧ＶＣＣが印加されることで起動すると、水没検出信号ＷＥＴＩＮを受けて、ＬＥＤ１３の点灯、スピーカ１１による音声出力、液晶パネル１２による表示を制御して、水没を報知するとともに、パワーオン信号ＰＯＮを出力する。電源維持回路２７のトランジスタＱ１１がパワーオン信号ＰＯＮによってオンすると、抵抗Ｒ８の一端がグランドに接続されるので、電源制御回路２８および電源回路２９の動作状態が維持される。
【００６８】
これにより、トランシーバ１の主電源がオフしている状態でも、ＣＰＵ３５の動作が維持されるため、水没検出に対する報知動作が行われる。また、トランシーバ１が水没を脱した状態でも、ＣＰＵ３５がパワーオン信号ＰＯＮを所定時間出力することにより、電源維持回路２７が動作する。これにより、電源制御回路２８および電源回路２９が所定時間動作するので、ＣＰＵ３５への電力供給が持続される。それゆえ、脱水没状態であっても、しばらくの期間、水没の報知状態を維持することにより、トランシーバ１が水没していたことを認識することができる。したがって、トランシーバ１の水没を知らない第三者が、スピーカグリル１７内に水が浸入して使用できない状態であることを認識することができる。
【００６９】
また、トランシーバ１の水没時には、上記の（２）の場合と同じく、スイッチ制御回路２４のトランジスタＱ２と、充電スイッチ２３のトランジスタＱ１とがオフすることにより、正極端子２２ａ負極端子２２ｂとの短絡から、充電器２５を保護することができる。
【００７０】
（６）主電源オフ、非水没および外部電圧印加
上記の（４）の状態で外部電源端子２２に外部電圧が印加されると、抵抗Ｒ１，Ｒ２の接続点における電位が上昇することにより、トランジスタＱ２がオンする。これに伴い、トランジスタＱ１もオンする。これにより、正極端子２２ａと充電ＩＣ２５１の入力端子ＶＩＮとの間が導通する。また、ＣＰＵ３５は、ダイオードＤ７を介して正極端子２２ａから電圧が印加されることにより起動する。したがって、充電器２５は、ＣＰＵ３５の制御により、外部電圧でバッテリ２１の充電を行うことができるようになる。
【００７１】
〈トランシーバによる効果〉
トランシーバ１は、露出するように設けられ、外部から電力が入力される一対の外部電源端子２２と、外部電源端子２２同士が短絡することによってトランシーバ１が水没したことを検出する水没検出回路３０および水没検出スイッチ３１を備えている。
【００７２】
これにより、外部電源端子２２を水没の検出に利用することができる。それゆえ、水没の検出のために専用の端子を設ける必要がなくなる。したがって、専用の端子そのもの、専用の端子を配置するためのスペース、専用の端子を電子機器に組み付ける加工費等が不要になる。
【００７３】
また、外部電源端子２２の正極端子２２ａと充電器２５との間に介在するトランジスタＱ１，Ｑ２と、バッテリ２１の正極端子２１ａからＣＰＵ３５に至る電源ラインに介在するトランジスタＱ５，Ｑ６とが、それぞれＦＥＴである。これにより、暗電流がほぼ０となる。また、水没検出回路３０のトランジスタＱ７をＦＥＴで構成することにより、トランシーバ１の水没時に外部電源端子２２に流れる電流が数μＡ程度となる。それゆえ、外部電源端子２２およびバッテリ２１の端子に流れる電流が微小になることにより、各端子の腐食を抑えることができる。
【００７４】
〔ソフトウェアによる実現例〕
トランシーバ１の水没検出機能を、集積回路（ＩＣチップ）などに形成された論理回路（ハードウェア）によって実現してもよい。あるいは、これらの機能をソフトウェアによって実現してもよい。
【００７５】
後者の場合、トランシーバ１は、各機能を実現するソフトウェアであるプログラムの命令を実行するコンピュータを備えている。このコンピュータは、例えば１つ以上のプロセッサとしてＣＰＵ３５を備えているとともに、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。
【００７６】
上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。
【００７７】
また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７８】
〔付記事項〕
また、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００７９】
実施形態１および２では、例えば、電子機器としてのトランシーバ１について説明した。本発明は、トランシーバ１に限らず、露出する充電端子を有する充電池を備えた電子機器に適用が可能である。
【符号の説明】
【００８０】
１  トランシーバ（電子機器）
２  機器本体
１１  スピーカ（報知部）
１２  液晶パネル（報知部）
１３  ＬＥＤ（報知部）
２１  バッテリ（充電池）
２２  外部電源端子
２３  充電スイッチ（遮断回路）
２４  スイッチ制御回路（遮断回路）
２５  充電器
３０  水没検出回路
３５  ＣＰＵ（制御回路）
【図１】
2020123822.tif 000003
【図２】
2020123822.tif 000004
【図３】
2020123822.tif 000005
【図４】
2020123822.tif 000006